(57)【要約】【課題】本発明の課題は、ライドシェアを実施する車両が有料道路を通行する際に優遇措置を受けることができる技術を提供することである。【解決手段】ライドシェアを実施する車両を識別する情報を取得することと、前記ライドシェアを実施する車両が有料道路を通行するときの優遇措置の適用を前記有料道路の管理装置に指令することと、を実行する制御部を備える情報処理装置。【選択図】図２
2020009051.tif 000002
【特許請求の範囲】
【請求項１】
ライドシェアを実施する車両を識別する情報を取得することと、
前記ライドシェアを実施する車両が有料道路を通行するときの優遇措置の適用を前記有料道路の管理装置に指令することと、
を実行する制御部を備える情報処理装置。
【請求項２】
前記有料道路の管理装置は、有料道路におけるＥＴＣ装置であり、
前記制御部は、
前記有料道路におけるＥＴＣ装置を識別するＥＴＣ識別情報を取得することと、
前記優遇措置として、取得した前記ライドシェアを実施する車両を識別する情報及び前記ＥＴＣ識別情報に基づいて、前記ライドシェアを実施する車両の、前記ＥＴＣ装置が配置されている有料道路での通行料金を減免するための処理を行うことと、
をさらに実行する請求項１に記載の情報処理装置。
【請求項３】
前記制御部は、
前記ライドシェアを実施する車両が近接した前記ＥＴＣ装置のＥＴＣ識別情報を、前記ライドシェアを実施する車両内の端末装置を介して取得すること
を特徴とする、請求項２に記載の情報処理装置。
【請求項４】
前記制御部は、
前記ライドシェアを実施する車両を識別する情報を、前記ライドシェアを実施する車両が近接した前記有料道路の管理装置を介して取得すること
を特徴とする、請求項１から３のいずれか一項に記載の情報処理装置。
【請求項５】
前記制御部は、
前記ライドシェアを実施する車両の出発地及び目的地の情報を取得することと、
前記出発地から、前記目的地までの間に、前記優遇措置が適用される有料道路を含む走行経路を作成することと、
前記ライドシェアを実施する車両に前記作成した走行経路を提供すること、
を実行する請求項１から４のいずれか一項に記載の情報処理装置。
【請求項６】
前記制御部は、
前記ライドシェアを実施する車両における、ライドシェアの乗車場所、目的地、及びライドシェアの開始予定時刻の情報を取得することと、
前記取得したライドシェアの開始予定時刻以前の所定時間内に、前記ライドシェアを実施する車両が稼働状態であることの情報を取得することと、
前記稼働状態であることの情報が取得された車両の現在地の情報を取得することと、
前記稼働状態であることの情報が取得された車両が、現在地からライドシェアの乗車場所を経由して目的地まで到達し、かつ、前記優遇措置が適用される有料道路を含む走行経路を作成することと、
前記稼働状態であることの情報が取得された車両に、前記作成した走行経路を提供すること、
を実行する、請求項１から４のいずれか一項に記載の情報処理装置。
【請求項７】
前記制御部は、
前記ライドシェアを実施する車両が、前記提供された走行経路を走行中にバス専用レーンを走行可能なように処理すること、をさらに実行する
ことを特徴とする、請求項５または６のいずれか一項に記載の情報処理装置。
【請求項８】
前記制御部は、
前記ライドシェアを実施する車両が、前記提供された走行経路を走行中に、自動運転の車両が当該経路上に存在する場合には、当該自動運転の車両の走行車線を変更させて、前記ライドシェアを実施する車両の進行を妨害しないように処理すること、をさらに実行する、
ことを特徴とする、請求項５から７のいずれか一項に記載の情報処理装置。
【請求項９】
前記制御部は、
前記ライドシェアを実施する車両の乗員数の情報を取得することと、
前記取得した乗員数の情報に基づいて、優遇措置の内容を決定すること、
を実行する請求項１から８のいずれか一項に記載の情報処理装置。
【請求項１０】
ライドシェアを実施する車両を識別する情報を取得する第１のステップと、
前記ライドシェアを実施する車両が有料道路を通行するときの優遇措置の適用を前記有料道路の管理装置に指令する第２のステップと、
を有する、情報処理方法。
【請求項１１】
ライドシェアを実施する車両を識別する情報を取得する第１のステップと、
前記ライドシェアを実施する車両が有料道路を通行するときの優遇措置の適用を前記有料道路の管理装置に指令する第２のステップと、
を有する情報処理方法をコンピュータに実行させるためのプログラム。
【発明の詳細な説明】
【技術分野】
【０００１】
本発明は、ライドシェアの実施を支援するための技術に関する。
【背景技術】
【０００２】
近年、同一の車両に複数のユーザーが相乗りする、いわゆるライドシェアという移動形態が広がっている。このような移動形態に関し、ドライバーが同乗希望者の同乗を認めるか否かの決定を行うことにより、ライドシェア実施に対するドライバーの心理的ハードルを下げる技術が知られている（例えば、特許文献１を参照）。
【先行技術文献】
【特許文献】
【０００３】
【特許文献１】特開２０１８−５５５３８号公報
【特許文献２】特許第６０９３１６９号公報
【発明の概要】
【発明が解決しようとする課題】
【０００４】
ライドシェアを実施することに何らかのインセンティブがあれば、よりライドシェアの実施が活性化すると考えられる。本発明は、ライドシェアを実施する車両が有料道路を通行する際に優遇措置を受けることができる技術を提供することを目的とする。
【課題を解決するための手段】
【０００５】
本発明の第１の態様に係る情報処理装置は、
ライドシェアを実施する車両を識別する情報を取得することと、
前記ライドシェアを実施する車両が有料道路を通行するときの優遇措置の適用を前記有料道路の管理装置に指令することと、
を実行する制御部を備える。
【０００６】
本発明の第２の態様に係る情報処理方法は、
ライドシェアを実施する車両を識別する情報を取得する第１のステップと、
前記ライドシェアを実施する車両が有料道路を通行するときの優遇措置の適用を前記有料道路の管理装置に指令する第２のステップと、
を有する。
【０００７】
本発明の第３の態様は、上記の第２の態様に係る情報処理方法をコンピュータに実行させるためのプログラム、又は、該プログラムを非一次的に記憶したコンピュータ可読記憶媒体である。
【発明の効果】
【０００８】
本発明によれば、ライドシェアを実施する車両が有料道路を通行する際に優遇措置を受けることができる技術を提供することができる。
【図面の簡単な説明】
【０００９】
【図１】図１は、第１実施形態に係るライドシェア支援システムの概要図である。
【図２】図２は、第１実施形態に係るライドシェア支援システムが有する構成要素の一例を概略的に示したブロック図である。
【図３】図３は、第１実施形態に係るシステムにおけるデータフローを説明する図である。
【図４】図４は、第１実施形態の変形例が有する構成要素の一例を概略的に示したブロック図である。
【図５】図５は、第１実施形態の変形例におけるデータフローを説明する図である。
【図６】図６は、第２実施形態に係るライドシェア支援システムの概要図である。
【図７】図７は、第２実施形態に係るライドシェア支援システムが有する構成要素の一例を概略的に示したブロック図である。
【図８】図８は、第２実施形態に係るドライバー情報のテーブル構成の一例を示す図である。
【図９】図９は、第２実施形態に係る同乗希望者情報のテーブル構成の一例を示す図である。
【図１０】図１０は、第２実施形態におけるライドシェアＩＤ発行に係る一連の処理の流れを示すフローチャートである。
【図１１】図１１は、実施形態３に係るライドシェア支援システムが有する構成要素の一例を概略的に示したブロック図である。
【図１２】図１２は、実施形態３の変形例が有する構成要素の一例を概略的に示したブロック図である。
【発明を実施するための形態】
【００１０】
本発明の第１の態様に係る情報処理装置は、ライドシェアを実施する車両を識別する情報を取得することと、前記ライドシェアを実施する車両が有料道路を通行するときの優遇措置の適用を前記有料道路の管理装置に指令することと、を実行する制御部を備えている。
【００１１】
なお、ここでいうライドシェアとは、自動車の相乗りのことであり、ドライバーと一人以上の同乗者がいれば成立する。また、ライドシェアを実施する車両を識別する情報とは、車両そのものを識別してもよいし、車両のドライバーを識別することにより車両を識別するのであってもよい。具体的には、車両の登録番号、車両に搭載されている機器の端末ＩＤなどとすることができる。
【００１２】
上記のような情報処理装置により、ライドシェアを実施する車両が有料道路を通行する際に優遇措置を受けることができる（即ち、ライドシェアを実施する者にインセンティブを付与できる）、ライドシェア支援のためのシステムを提供することが可能になる。
【００１３】
以下、本発明の具体的な実施形態について図面に基づいて説明する。本実施形態に記載されている構成部品の寸法、材質、形状、その相対配置等は、特に記載がない限りは発明の技術的範囲をそれらのみに限定する趣旨のものではない。
【００１４】
＜第１実施形態＞
（システム概要）
第１の実施形態に係るライドシェア支援システム１の概要について、図１を参照しながら説明する。本実施形態に係るシステムは、サーバ装置１０、車両端末２０、ＥＴＣ装置３０を含んで構成される、ライドシェア支援のためのシステムである。
【００１５】
ライドシェア支援システム１においては、サーバ装置１０、車両端末２０、ＥＴＣ装置３０が、ネットワークＮ１によって相互に接続される。ネットワークＮ１には、例えば、インターネット等の世界規模の公衆通信網であるＷＡＮ（Ｗｉｄｅ  Ａｒｅａ  Ｎｅｔｗｏｒｋ）やその他の通信網が採用されてもよい。また、ネットワークＮ１は、携帯電話等の電話通信網、ＷｉＦｉ等の無線通信網を含んでもよい。
【００１６】
サーバ装置１０は、ネットワークＮ１を介して一以上の車両端末２０及び一以上のＥＴ
Ｃ装置３０と通信を行うとともに、所定の情報処理を行う装置である。本実施形態においては、サーバ装置１０が、本発明の第１の態様に係る「情報処理装置」である。
【００１７】
車両端末２０は、ライドシェアを実施するドライバーが管理する端末装置であり、例えば、ライドシェアに供される車両に搭載された車載器であっても構わないし、ドライバーが有するスマートフォンなどの携帯情報端末であってもよい。
【００１８】
ＥＴＣ装置３０には、有料道路の出入り口、及びその付近に配置される自動料金収受のための装置であり、有料道路出入口のゲート装置、出入り口付近における車両検知装置、有料道路を通行する車両の車載装置と通信を行うための装置、などが含まれる。本明細書では、互いに連携するこれらの複数種類の装置によって構成される自動料金収受のための装置群を、ＥＴＣ装置３０という。なお、ＥＴＣはＥｌｅｃｔｒｏｎｉｃ  Ｔｏｌｌ  Ｃｏｌｌｅｃｔｉｏｎ  Ｓｙｓｔｅｍの略であり、有料道路における自動料金収受システムを意味する。本実施形態においては、「ＥＴＣ装置３０」が、本発明の第１の態様に係る「有料道路の管理装置」に該当する。
【００１９】
（システム構成）
システムの構成要素について、詳しく説明する。図２は、図１に示したサーバ装置１０、車両端末２０、ＥＴＣ装置３０の構成の一例を概略的に示したブロック図である。
【００２０】
（サーバ装置）
サーバ装置１０は、一般的なコンピュータにより構成される。すなわち、サーバ装置１０は、ＣＰＵやＤＳＰ等のプロセッサ、読み込み専用メモリ（ＲＯＭ）、ランダムアクセスメモリ（ＲＡＭ）等の主記憶部、ＥＰＲＯＭ、ハードディスクドライブ（ＨＤＤ）、リムーバブルメディア等の補助記憶部を有するコンピュータである。なお、リムーバブルメディアは、例えば、ＵＳＢメモリやＳＤカード等のフラッシュメモリ、あるいは、ＣＤ−ＲＯＭやＤＶＤディスク、ブルーレイディスクのようなディスク記録媒体である。補助記憶部には、オペレーティングシステム（ＯＳ）、各種プログラム、各種テーブル等が格納され、そこに格納されたプログラムを主記憶部の作業領域にロードして実行し、プログラムの実行を通じて各構成部等が制御されることによって、後述するような、所定の目的に果たす各機能部を実現することができる。ただし、一部または全部の機能部はＡＳＩＣやＦＰＧＡのようなハードウェア回路によって実現されてもよい。なお、サーバ装置１０は、単一のコンピュータで構成されてもよいし、互いに連携する複数台のコンピュータによって構成されてもよい。
【００２１】
サーバ装置１０は、制御部１１、通信部１２、記憶部１３を含んで構成される。制御部１１は、サーバ装置１０の制御を司る手段であり、例えば、ＣＰＵなどによって構成される。制御部１１は、機能モジュールとして、ライドシェアＩＤ処理部１１１、識別情報取得部１１２、認証部１１３、減免処理部１１４、を有している。各機能モジュールは、例えば、ＲＯＭ等の記憶手段に記憶されたプログラムをＣＰＵによって実行することで実現してもよい。
【００２２】
通信部１２は、サーバ装置１０をネットワークＮ１に接続するための通信手段である。通信部１２は、例えばＬＡＮ（Ｌｏｃａｌ  Ａｒｅａ  Ｎｅｔｗｏｒｋ）インターフェースボードや、無線通信のための無線通信回路を含んで構成される。
【００２３】
記憶部１３は、情報を記憶する手段であり、上記の主記憶部及び補助記憶部に該当する。また、例えば、有料道路毎の通行料金、有料道路毎の減免額、後述するライドシェアＩＤなどの各種の情報が格納されているデータベース（Ｄａｔａ  Ｂａｓｅ、ＤＢ）を含む。当該データベースはプロセッサによって実行されるデータベース管理システム（Ｄａｔ
ａｂａｓｅ  Ｍａｎａｇｅｍｅｎｔ  Ｓｙｓｔｅｍ、ＤＢＭＳ）のプログラムが、上記の補助記憶部に記憶されるデータを管理することで構築される。
【００２４】
続けて、制御部１１が有する各機能モジュールについて説明する。ライドシェアＩＤ処理部１１１は、ドライバーと同乗者との間で合意が形成されている一のライドシェア実施計画の情報に対応する一のライドシェアＩＤを取得する。そして、ライドシェアＩＤ処理部１１１は当該ライドシェアＩＤを、通信部１２を介して、当該ＩＤに対応するライドシェア実施計画に係るドライバーの車両端末２０に送信する。ライドシェアＩＤは、例えばライドシェアの運用を管理する他のシステムなどから取得するとよい。
【００２５】
ここで、ライドシェア実施計画の情報とは、ライドシェアを実施する車両を特定する情報、ライドシェアを開始する時刻に関する情報、ライドシェアの乗車場所又は降車場所（以下、乗降場所ともいう）に関する情報、を含み、特定のライドシェアの計画を識別する情報である。なお、ライドシェアを実施する車両を特定する情報には、例えば、車両の登録番号、車両に搭載されている機器の端末ＩＤ、が含まれる。このような情報と、ライドシェアＩＤ処理部１１１が取得するライドシェアＩＤとは一対一の関係で対応しているため、本実施形態においては、「ライドシェアＩＤ」が、本発明の第１の形態に係る、「ライドシェアを実施する車両を識別する情報」に相当する。
【００２６】
また、「ドライバーと同乗者との間で合意が形成されている」とは、必ずしもドライバーと同乗者との間で直接的な合意が形成されている場合のみならず、前記のライドシェア運用管理システムを介して間接的に合意が形成されている場合も含む。
【００２７】
識別情報取得部１１２は、通信部１２を介して、ライドシェアＩＤ及び有料道路におけるＥＴＣ装置３０を識別するＥＴＣ識別情報（ＩＤ）を取得する。なお、ここでいうＥＴＣＩＤは自動料金収受システムを構成する個々の装置を識別するものでなくてもよく、有料道路の一の出入口において車両の有料道路への進入或いは退出を検知する装置群を識別するものでもよい。なお、本実施形態においては、「ＥＴＣＩＤ」が、「ＥＴＣ識別情報」に相当する。また、ＥＴＣ識別情報とは有料道路に配置された（即ち、路側機器としての）ＥＴＣ装置を識別する情報であり、車両に積載される車載機を識別するものではない。
【００２８】
認証部１１３は、識別情報取得部１１２が取得したライドシェアＩＤ及びＥＴＣＩＤに基づいて、ライドシェアＩＤを保持する車両端末２０を備えた車両が、ＥＴＣＩＤを有するＥＴＣ装置３０において検知されたことを認証する。即ち、認証部１１３は、前記ＥＴＣＩＤに係るＥＴＣ装置３０が配置されている有料道路を通行する車両が、ライドシェア実施中の車両であることを認証する。
【００２９】
減免処理部１１４は、認証部１１３がライドシェア実施中と認証した車両が通行する、有料道路の通行料金を減免するための処理を行う。具体的には、減免処理部１１４は所定の条件に基づいて減免額を決定し、当該決定した減免額をＥＴＣ装置３０へ送信することにより、実際にドライバーが支払う通行料金が減免されるようにするとよい。なお、減免は、ライドシェア実施中に通行する区間の料金全額を免除するものであってもよいし、料金の一部を割り引くものであってもよい。また、通行する距離、乗車人数、利用する日付などによって、割引率が変動するようになっていてもよい。このような減免額は、例えば記憶部１３に予め格納されている関係式などによって算出するようにしてもよい。
【００３０】
（車両端末）
車両端末２０は制御部２１、通信部２２、記憶部２３、及び各種の入出力部を備えている。制御部２１は車両端末２０の制御を司る手段であり、例えば、ＣＰＵなどによって構
成される。通信部２２は車両端末２０をネットワークＮ１に接続する通信手段、及びＥＴＣ装置３０と間で無線通信を行う手段を含む。車両端末２０は、車両に搭載された車載器に限らず、ドライバーが保有する、スマートフォン、タブレットコンピュータ、モバイルコンピュータ、携帯電話、ハンディターミナルなどの汎用の情報端末であってもよい。
【００３１】
（ＥＴＣ装置）
ＥＴＣ装置３０は制御部３１、通信部３２、及び各種の入出力部を備えている。また、記憶部を備えていてもよい。制御部３１は、ＥＴＣ装置３０の制御を司る手段であり、例えば、ＣＰＵなどによって構成される。通信部３２はＥＴＣ装置３０をネットワークＮ１に接続する通信手段、及び車両端末２０との間で無線通信を行う手段を含む。
【００３２】
（処理の流れ）
次に、前述した各構成要素が行う処理について説明する。図３は、本実施形態に係るシステムにおけるデータフローを説明する図である。なお、本実施形態では、有効なライドシェアＩＤを保持する車両端末２０を備える車両は、ライドシェア実施中であるとの前提で説明を行う。
【００３３】
まず、サーバ装置１０はライドシェアＩＤ処理部１１１において、一のライドシェアの実施に係るライドシェアＩＤを、当該ライドシェアのドライバーの車両端末２０に送信する（ステップＳ１０１）。ライドシェアＩＤは、例えばライドシェアの運用を管理する他のシステムなどから取得するとよい。
【００３４】
車両端末２０はサーバ装置１０から受信したライドシェアＩＤを記憶部２３に格納する。当該ライドシェアＩＤは所定の解除条件を満たすまでの間、有効なＩＤとして保持される。そして、有効なライドシェアＩＤを保持した車両端末２０を搭載した車両が所定の有料道路を通行する際に、当該車両端末２０が、当該有料道路の出入口付近に配置されているＥＴＣ装置３０と近接して情報の送受信が行われることで、ＥＴＣ装置３０からＥＴＣＩＤを取得する（ステップＳ１０２）。
【００３５】
なお、上記の「所定の解除条件」は、例えば、予め定められた時刻を経過する、目的地に到着する、車両端末２０がライドシェア完了の認証情報を取得する、などとすることができ、さらにこれらを組み合わせたものとしてもよい。また、上記のＥＴＣＩＤの取得は、自動料金収受のための情報の送受信に伴って行うものであってもよいし、これとは別途の情報の送受信により行ってもよい。また、車両端末２０からＥＴＣ装置３０に対して、ＥＴＣＩＤの送信を要求するリクエスト信号を発するようにしてもよい。
【００３６】
ＥＴＣＩＤを取得した車両端末２０は、既に保持しているライドシェアＩＤとＥＴＣＩＤとをセットにしてサーバ装置１０に送信し、サーバ装置１０は識別情報取得部１１２において、ライドシェアＩＤとＥＴＣＩＤのセットを取得する（ステップＳ１０３）。次に、サーバ装置１０は認証部１１３において、セットで取得したライドシェアＩＤとＥＴＣＩＤとに基づく認証を行う。具体的には、サーバ装置１０は当該ＥＴＣＩＤに係るＥＴＣ装置３０が配置されている有料道路を通行する車両が、当該ライドシェアＩＤを保持する車両端末２０が搭載された車両であること、即ち、ライドシェア実施中の車両であること、を認証する（ステップＳ１０４）。ここでは、例えば、ライドシェアＩＤとＥＴＣＩＤとがセットで送信されていること、ライドシェアＩＤとＥＴＣＩＤが有効なＩＤであること、予定されているライドシェアの実施時刻とＩＤの送信時刻との間に所定の基準値を超える誤差が無いこと、などの諸条件を判定することにより、認証を行ってもよい。
【００３７】
ステップＳ１０４で、ライドシェアＩＤとＥＴＣＩＤを送信した車両端末２０を搭載する車両がライドシェア実施中であることが認証されると、サーバ装置１０は減免処理部１
１４において、当該車両の有料道路の通行料金の減免額を決定する（ステップＳ１０５）。そして、サーバ装置１０は、当該減免額の情報をライドシェアＩＤとともにＥＴＣ装置３０に送信する（ステップＳ１０６）。そして、サーバ装置１０から減免額の情報とライドシェアＩＤを取得したＥＴＣ装置３０は、当該ライドシェアＩＤを保持する車両端末２０を搭載する車両の通行料金を、減免額が適用された額で徴収する（ステップＳ１０７）。そして、ＥＴＣ装置３０は、該減免が適用された額で徴収した旨の情報をサーバ装置１０に送信する（ステップＳ１０８）。サーバ装置１０は、減免処理部１１４において当該減免が適用された旨の情報を取得し、当該ライドシェアＩＤに係る一連の処理を完了する（ステップＳ１０９）。
【００３８】
なお、上記において減免額は、例えば、通行距離、同乗者人数、有料道路の通行日時、車両のサイズ（従量含む）、などの要素に基づいて決定すればよい。また、これらの要素の組み合わせと減免額の関係の情報を、予め記憶部１３に保持しておいてもよい。
【００３９】
本実施形態のシステムの構成によれば、容易にライドシェアを実施中の車両の有料道路の通行料金を減免することができ、これによりライドシェアを実施する者に対しインセンティブを付与することができる。
【００４０】
（変形例）
なお、第１実施形態において、減免額の決定の条件にライドシェアの同乗者数を用いる場合に、実際の同乗者数を確認するようにしてもよい。図４に、第１実施形態の変形例の概略を表すブロック図を示す。図４に示すように、本変形例に係るシステムは、ＥＴＣ装置３０が乗車人数検出部３３を備えている点において、第１実施形態と異なっている。以下では、第１実施形態と同様の構成及び処理については同じ符号を用い、詳細な説明は省略する。
【００４１】
ＥＴＣ装置３０の乗車人数検出部３３は、例えばカメラ及び画像分析部からなり、有料道路の出入口を通過した車両をカメラによって撮影し、撮影した画像を分析することによりって当該車両に乗車している乗員の人数を検出する。なお、カメラを熱画像カメラとし、サーモグラフィーによって乗車人数を検出するようにしてもよい。なお、検出された乗車人数からドライバーに該当する１名分を差し引くと同乗者数となるため、乗車人数を検出することで同乗者数も求めることが可能である。
【００４２】
続けて、本変形例における処理の流れを図５に基づいて説明する。図５は本変形例に係るシステムにおけるデータフローを説明する図である。第１実施形態と同様に、ライドシェアＩＤをサーバ装置１０から取得した車両端末２０は、ライドシェアＩＤを記憶部２３に格納する（ステップＳ２０１）。そして、ライドシェアＩＤを保持した車両端末２０を搭載した車両が所定の有料道路を通行する際に、当該車両端末２０が、当該有料道路の出入口付近に配置されているＥＴＣ装置３０に対して、当該ライドシェアＩＤを送信する（ステップＳ２０２）。即ち、第１実施形態では、車両端末２０がＥＴＣ装置３０からＥＴＣＩＤを取得するのに対し、本変形例ではＥＴＣ装置３０が車両端末２０からライドシェアＩＤを取得する構成になっている。
【００４３】
さらに、ＥＴＣ装置３０は乗車人数検出部３３において、当該ライドシェアＩＤを送信した車両端末２０が搭載されている車両の乗車人数を検出する（ステップＳ２０３）。そして、ＥＴＣ装置３０は、ステップＳ２０２で取得したライドシェアＩＤと、ＥＴＣ装置３０自らを識別するＥＴＣＩＤとのセットの情報、及びステップＳ２０３で検出した乗車人数の情報を、サーバ装置１０に送信し、サーバ装置１０が識別情報取得部１１２においてこれらの情報を取得する（ステップＳ２０４）。
【００４４】
そして、サーバ装置１０は認証部１１３において、第１実施形態と同様にセットで取得したライドシェアＩＤとＥＴＣＩＤとに基づいて、ＥＴＣ装置３０が配置されている有料道路を通行する車両がライドシェア実施中の車両であることを認証する（ステップＳ２０５）。続けて、サーバ装置１０は減免処理部１１４において、減免額の決定の処理を行うが（ステップＳ２０６）、この際にステップＳ２０４で取得した乗車人数の情報を参照する。即ち、ＥＴＣ装置３０の乗車人数検出部３３で検出された乗車人数の多寡によって、減免額が変動し得る。減免額の決定後のステップＳ２０７からステップＳ２１０の各処理は、第１実施形態のステップＳ１０６からステップＳ１０９と同様であるので、説明を省略する。
【００４５】
本変形例の構成によれば、ライドシェア実施に係る実際の乗車人数（同乗者数）に応じて、減免額を変動させることができる。即ち、ライドシェアを実施する車両の乗員数の情報に基づいて、優遇措置の内容を決定することができる。
【００４６】
＜第２実施形態＞
（システム構成）
次に、本システムの第２実施形態について説明する。図６は本実施形態に係るライドシェア支援システム２の概略を示す図である。本実施形態に係るライドシェア支援システム２は、ライドシェアの運用管理を兼ねるシステムであり、ライドシェアのドライバーと同乗希望者をマッチングする機能を備えている。
【００４７】
図７は、本実施形態に係るサーバ装置１０、車両端末２０、ＥＴＣ装置３０、の構成の一例を概略的に示したブロック図である。図７に示すように、サーバ装置１０には、実施形態１の構成に加えて、ライドシェア要求取得部１１５、マッチング部１１６、ライドシェア実施情報作成部１１７、が制御部１１の機能モジュールとして備わっている。その他の構成は第１実施形態の構成と同様である。
【００４８】
ライドシェア要求取得部１１５は、ライドシェアの同乗者を募るドライバーからの要求を含む情報（以下、ドライバー情報という）と、ライドシェアを実施する車両を募る同乗希望者からの要求を含む情報（以下、同乗希望者情報）とを、通信部１２を介して取得し、記憶部１３に格納する。各情報の取得は、例えばウェブサイトを介して行うようにすればよい。ウェブサイトでは情報入力のためのユーザーインターフェースが表示され、当該ユーザーインターフェースを介して情報の取得及び提供を行う。
【００４９】
ドライバー情報及び同乗希望者情報は、例えばテーブル形式のデータベースとして記憶部１３に格納される。図８にドライバー情報のテーブル構成の一例を、図９に同乗希望者情報のテーブル構成の一例を示す。
【００５０】
図８に示すように、ドライバー情報のテーブルの構成として、ドライバーＩＤフィールド、出発地（乗車場所）フィールド、乗車時刻フィールド、目的地（降車場所）フィールド、乗車可能人数フィールド、車両特定情報フィールドなどを有している。なお、この他にも、ドライバーの属性（性別、年齢、運転評価、使用可能言語）、受け入れる同乗者の属性（性別、年齢、使用言語）、ライドシェアに使用する車両の情報（車種、年式、禁煙喫煙の別）などがフィールドとして含まれていてもよい。
【００５１】
また、図９に示すように、同乗希望者情報のテーブル構成として、同乗希望者ＩＤフィールド、出発地（乗車場所）フィールド、乗車時刻フィールド、目的地（降車場所）フィールド、乗車人数フィールド、などを有している。なお、この他にも、同乗者の属性、希望するドライバーの属性、ライドシェアに使用する車両の情報（車種、年式、禁煙喫煙の別）などがフィールドとして含まれていてもよい。
【００５２】
マッチング部１１６は、記憶部１３に格納されたドライバー情報及び同乗希望者情報に基づいて、ドライバーと同乗希望者とのマッチングを行う。ここでいう「マッチング」とはドライバーと同乗希望者とを仲介することであり、具体的には、ドライバー情報と、同乗希望者情報とを照らし合わせ、対応する各フィールドについて条件の合致する組み合わせの有無を判定する。そして、条件が合致する組み合わせがある場合には、これらの情報を送信したドライバーと同乗希望者に対して、それぞれマッチング成立の旨、及び、ライドシェア実施の最終確認のための情報を送信する。なお、条件が合致する組み合わせとは、図８のドライバー情報、及び、図９同乗希望者情報を例にすると、ドライバーＩＤがＤ１００１のドライバー情報と、同乗希望者ＩＤがＳ１００４の同乗希望者情報の組み合わせがこれに該当する。具体的には、出発地（乗車場所）、乗車時刻、目的地（降車場所）、乗車人数の条件が合致する場合にマッチングが成立する。
【００５３】
ライドシェア実施情報作成部１１７は、マッチングの成立したドライバー情報と同乗希望者情報とに基づいて、ライドシェアの実施日時及び乗降地点を含むライドシェア実施情報を作成するとともに、新たな一のライドシェアＩＤを発行する。また、ライドシェア実施情報作成部１１７は、当該作成したライドシェア実施情報と新たに発行したライドシェアＩＤとを関連づけて記憶部１３に格納する。
【００５４】
なお、本実施形態においては、ライドシェアＩＤ処理部１１１は、ライドシェア実施情報作成部１１７が発行したライドシェアＩＤを車両端末２０に対して送信する。
【００５５】
（処理の流れ）
続けて、本実施形態において、ライドシェア要求取得部１１５、マッチング部１１６、ライドシェア実施情報作成部１１７、が行う処理の流れを図１０に基づいて説明する。図１０は、本実施形態におけるライドシェアＩＤ発行に係る一連処理の流れを示すフローチャートである。サーバ装置１０は、まず、ライドシェア要求取得部１１５において、ドライバー情報及び同乗希望者情報を取得し、記憶部１３に格納する（ステップＳ３０１）。
【００５６】
次に、マッチング部１１６において、記憶したドライバー情報と同乗希望者情報とを照らし合わせて、各フィールドの条件が合致する組み合わせを検索し、条件が合致する組み合わせが見つかった場合には、これらを関連づけする（ステップＳ３０２。以下これをマッチング処理という。）。
【００５７】
そして、関連づけられたドライバー情報を送信したドライバー、及び、同乗希望者情報を送信した同乗希望者のそれぞれに、マッチングが成立した旨の情報と当該条件でライドシェアを実施することの承認を求める情報を、送信する（ステップＳ３０３）。
【００５８】
その後、ドライバー及び同乗希望者のいずれからもライドシェアの実施を承認する旨の情報を取得できたか否かの判定を行い（ステップＳ３０４）、いずれからも承認が得られた場合には、ステップＳ３０５に進む。一方、ステップＳ３０５でドライバー及び同乗者の少なくとも一方から承認が得られなかった場合には、ステップＳ３０２に戻って、以後の処理を繰り返す。
【００５９】
ステップＳ３０５では、ライドシェア実施情報作成部１１７において、マッチングの成立したドライバー情報と同乗希望者情報とに基づいて、ライドシェアの実施日時及び乗降地点を含むライドシェア実施情報を作成する。そして、新たな一のライドシェアＩＤを発行し（ステップＳ３０６）、ライドシェア実施情報と当該ライドシェアＩＤとを関連づけたうえで、記憶部１３に格納する（ステップＳ３０７）。
【００６０】
以上のようにして、ライドシェア実施の情報とこれを特定するライドシェアＩＤの組み合わせが作成され、当該ライドシェアＩＤは、ライドシェアＩＤ処理部１１１によって車両端末２０に送信される。なお、ライドシェアＩＤ送信後の本実施形態に係るライドシェア支援システム２の処理の流れは、第１実施形態と同様であるため、以後の処理については説明を省略する。
【００６１】
本実施形態の構成によると、ライドシェアの運用管理を兼ねるシステムを構築することができ、例えばライドシェア支援サイトのようなウェブサイトから、一元的にドライバー及び同乗希望者にサービスを提供することが可能になる。
【００６２】
＜第３実施形態＞
（システム構成）
次に、本システムの第３実施形態について説明する。図１１は、本実施形態に係るサーバ装置１０、車両端末２０、ＥＴＣ装置３０、の構成の一例を概略的に示したブロック図である。図１１に示すように、サーバ装置１０には、第２実施形態の構成に加えて、優先経路提供部１１８が制御部１１の機能モジュールとして備わっている。その他の構成は第２実施形態の構成と同様である。
【００６３】
優先経路提供部１１８は、ライドシェアを実施する車両に搭載される車両端末２０に対して、減免が適用される有料道路を含む経路情報を送信する。具体的には、ライドシェア実施情報作成部１１７において作成されたライドシェア実施情報、減免が適用される有料道路の情報、地図情報などに基づいて次のような走行経路を算出する。即ち、優先経路提供部１１８はライドシェアの出発地から目的地までの間にライドシェア実施車両に減免が適用される有料道路を含む走行経路（以下、優先経路という）を算出する。また、優先経路提供部１１８は、当該経路の情報を車両端末２０に通信部１２を介して送信する。
【００６４】
減免が適用される有料道路の情報及び地図情報などは、予め記憶部１３に格納されるようにしておいてもよい。また、上記の情報の他にも、道路の混雑具合などの道路交通情報を取得して、これらを参照したうえで優先経路を設定してもよい。
【００６５】
作成した優先経路情報の送信は、ライドシェアＩＤを車両端末２０に送信する際に併せて送信するのであってもよいし、別途送信するのであってもよい。ライドシェアの実施までに時間が空くようであれば、ライドシェアの実施予定日時が近くなった段階で優先経路を算出、送信するようにしてもよい。
【００６６】
なお、優先経路情報を取得した車両端末２０は、カーナビゲーションシステムと連動し、当該経路を優先的に選択すべき経路として表示してもよい。もちろん、車両端末２０は、カーナビゲーションシステムと一体であってもよい。
【００６７】
本実施形態に係るライドシェア支援システム３のその他の構成及び処理については、第２実施形態と同様であるため、説明は省略する。上記のような本実施形態の構成によると、ドライバーは自ら調べずとも通行料金が減免される有料道路を通る経路の情報を取得することができ、システムの利便性を向上させることができる。
【００６８】
（変形例）
なお、第３実施形態において、優先経路の設定はライドシェアの出発地（乗車場所）を起点として算出するようにしたが、必ずしもこれに限られず、車両の現在地からライドシェアの出発地を経由して目的地へ至る走行経路を設定し、送信するようにしてもよい。図１２に、第３実施形態の変形例の概略を表すブロック図を示す。図１２に示すように、本変形例に係るサーバ装置１０には、第３実施形態の構成に加えて、車両稼働情報取得部１
１９が制御部１１の機能モジュールとして備わっている。
【００６９】
車両稼働情報取得部１１９は、有効なライドシェアＩＤを保持する車両端末２０が搭載されている車両が、当該ライドシェアＩＤに係るライドシェアの開始（乗車）予定時刻以前の所定時間内に、稼働状態にあるか否かの情報を取得する。ここで、稼働状態であるか否かは、例えば、車輪の駆動源（エンジン、モータなど）が回転状態にあるか、車載機器の電源がＯＮになっているか、車両位置が変化しているか、などの情報に基づいて決定すればよい。また、これらの情報は、各種車載センサなどによって取得され、車両端末２０によってサーバ装置１０に送信されるようにするとよい。
【００７０】
なお、「ライドシェアの開始予定時刻以前の所定時間内」とは、例えば、ライドシェア実施情報における乗車時刻の３０分前から乗車時刻までとすることができる。もちろん、１５分前から乗車時刻までであってもよいし、１時間前からであってもよい。
【００７１】
車両稼働情報取得部１１９によって、車両が稼働状態であるとの情報が取得された場合には、優先経路提供部１１８は、その時点での車両の位置情報（即ち、車両の現在地情報）を取得する。そして、優先経路提供部１１８は、当該位置からライドシェアの乗車場所を経由して、ライドシェアの降車場所に到達し、かつ通行料金の減免が適用される有料道路を通過する経路を算出し、当該経路の情報を車両端末２０に送信する。
【００７２】
このような本変形例の構成によると、ドライバーは乗車場所までの経路を自ら調べる必要もなくなるので、より利便性の高いシステムを提供することができる。
【００７３】
＜その他＞
なお、上記の各実施形態は、本発明を例示的に説明するものに過ぎず、本発明は上記の具体的な態様には限定されない。例えば、第２実施形態、第３実施形態において、マッチング部１１６は、ライドシェア実施情報作成部１１７によるライドシェアＩＤの発行後も、ドライバー情報における乗車可能人数の余剰が無くなるまで、マッチング処理を続けてもよい。また、同乗希望者情報には、他の同乗者との相乗りの可否についての情報が含まれるようにしてもよい。
【００７４】
また、上記の各実施形態では、有料道路を通行するときの優遇措置は通行料金の減免であったが、他の優遇措置を受けられるようにしても構わない。例えば、有料道路のサービスエリアで使用可能なクーポンの付与、専用の走行車線の通行、料金所での優良レーンの使用、などの措置を受けられるようにしてもよい。
【００７５】
さらに、このような優遇措置は、有料道路以外にも適用可能にしてもよい。例えば、第３実施形態において、優先経路提供部１１８が提供した優先経路を、ライドシェアを実施する車両が走行している際には、信号機の存在する交差点を通過する際に、優遇を受けうるようにしてもよい。ここでいう優遇には、例えば、進行方向への青信号の表示時間を長くする、同赤信号の表示時間を短くする、右折の指示信号を長くする、ことなどが含まれる。具体的には、サーバ装置１０は、ライドシェアを実施する車両の現在位置に基づいて当該車両が次に接近する信号機を推定する。さらに、サーバ装置１０は、ライドシェアを実施する車両の現在位置と次に接近すると推定した信号機の位置とを基に、ライドシェアを実施する車両が当該信号に接近する時刻を算出する。そして、サーバ装置１０は、当該算出された時刻において、次に接近すると推定した信号機が配置された交差点で上記の優遇措置が適用されるよう、各信号機、信号管理システムなどに指令を行うようにするとよい。
【００７６】
また、交差点での優遇に限らず、例えば自動運転の車両が優先経路上に存在する場合に
は、当該自動運転の車両が、ライドシェアを実施する車両の進行を妨害しないように、サーバ装置１０から、各自動運転車両、自動運転車両管理システムなどに指令を行うようにしてもよい。また、優先経路走行中には、バス専用レーンを通行できることを優遇措置としてもよい。この場合、サーバ装置１０は、車両端末２０にバスレーンの走行許可情報を送信し、その走行許可情報を受信した車両端末２０は、当該バスレーンを走行可能であることを示す走行許可信号を発信し、あるいは、当該バスレーンの走行許可を受けたことを示す情報を車外のディスプレイ等に表示するようにしてもよい。
【００７７】
本開示において説明した処理や手段は、技術的な矛盾が生じない限りにおいて、自由に組み合わせて実施することができる。例えば、第２実施形態、第３実施形態においても、第１実施形態の変形例と同様に、ＥＴＣ装置３０がライドシェアＩＤを取得し、これをＥＴＣＩＤとともにサーバ装置１０に送信するようにしてもよい。
【００７８】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【００７９】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【００８０】
１、２・・・ライドシェア支援システム
１０・・・サーバ装置
２０・・・車両端末
３０・・・ＥＴＣ装置
１１、２１、３１・・・制御部
１２、２２、３２・・・通信部
１３、２３・・・記憶部
１１１・・・ライドシェアＩＤ処理部
１１２・・・識別情報取得部
１１３・・・認証部
１１４・・・減免処理部
１１５・・・ライドシェア要求取得部
１１６・・・マッチング部
１１７・・・ライドシェア実施情報作成部
１１８・・・優先経路提供部
１１９・・・車両稼働情報取得部
【図１】
2020009051.tif 000003
【図２】
2020009051.tif 000004
【図３】
2020009051.tif 000005
【図４】
2020009051.tif 000006
【図５】
2020009051.tif 000007
【図６】
2020009051.tif 000008
【図７】
2020009051.tif 000009
【図８】
2020009051.tif 000010
【図９】
2020009051.tif 000011
【図１０】
2020009051.tif 000012
【図１１】
2020009051.tif 000013
【図１２】
2020009051.tif 000014